(57)【要約】【課題】新築時はもちろん、既築ともに施工でき、施工、取り替え等が簡単で、建築に当たっての墨出しを正確に行える、安全で防蟻効果の優れた木造建築物用の防蟻構造及びそれを用いた防蟻方法を提供することを目的とする。【解決手段】木造建築物の木造土台の下方に設けられた非木製の基礎立直部に基礎立直部、地盤等いずれからも離間して固着した防蟻シート材からなる木造建築物を防蟻する防蟻構造、特に、前記防蟻シート材の基礎立直部への固着は前記防蟻シート材４１の先端側が上方に位置するように前記防蟻シート材の基端側でなされ、前記防蟻シート材の先端側は上方から折り返して下方に曲げられていることを特徴とする木造建築物を防蟻する防蟻構造、及びそれを用いた木造建築物を防蟻する方法。【選択図】図１
2005282341.tif 000002
【特許請求の範囲】
【請求項１】
木造建築物の木造土台の下方に設けられた非木製の基礎立直部に、基礎立直部、地盤等いずれからも離間して固着した防蟻シート材からなる木造建築物を防蟻する防蟻構造。
【請求項２】
木造建築物の木造土台の下方に設けられた非木製の基礎立直部に基礎立直部、地盤等いずれからも離間して固着した防蟻シート材からなる木造建築物を防蟻する防蟻構造であって、前記防蟻シート材の基礎立直部への固着は前記防蟻シート材の先端側が上方に位置するように前記防蟻シート材の基端側でなされ、前記防蟻シート材の先端側は上方から折り返して下方に曲げられていることを特徴とする木造建築物を防蟻する防蟻構造。
【請求項３】
防蟻シート材が、少なくとも片面側に防蟻剤を含有したシート材であり、前記防蟻シート材の折り返された内側に少なくとも防蟻剤含有面が位置するように、かつ基礎立直部、地盤等いずれからも離間して基礎立直部に固着されていることを特徴とする請求項２記載の防蟻構造。
【請求項４】
防蟻シート材が、基礎立直部の横方向全周を覆って固着されていることを特徴とする請求項１乃至３のいずれか一項に記載の防蟻構造。
【請求項５】
片面側に防蟻剤が含有され、その防蟻剤含有面の他の防蟻剤の含有されない防蟻剤非含有面の基端側に、基礎立直部に固着する機能を有した、防蟻テープが形成されていることを特徴とする防蟻シート材。
【請求項６】
木造建築物の木造土台の下方に設けられた非木製の基礎立直部に、防蟻シート材を基礎立直部、地盤等いずれからも離間して固着して蟻の木造建築物への進入を防止することを特徴とする木造建築物を防蟻する方法。
【請求項７】
防蟻シート材の基礎立直部への固着が、前記防蟻シート材の先端側が上方に位置するように前記防蟻シート材の基端側でなされ、前記防蟻シート材の先端側は上方から折り返して下方に曲げられていることを特徴とする請求項６記載の木造建築物を防蟻する方法。
【請求項８】
防蟻シート材が、少なくとも片面側に防蟻剤を含有したシート材であり、前記防蟻シート材を、該防蟻シート材の折り返された内側に少なくとも防蟻剤含有面が位置するように、かつ基礎立直部、地盤等いずれからも離間して基礎立直部に固着することを特徴とする請求項７記載の木造建築物を防蟻する方法。
【請求項９】
防蟻シート材を、基礎立直部の横方向全周を覆って固着することを特徴とする請求項６乃至８のいずれか一項に記載の木造建築物を防蟻する方法。
【発明の詳細な説明】
【技術分野】
【０００１】
本発明は、木造建築物の防蟻構造及びそれを用いた防蟻方法に関し、さらに詳しくは、木造建築物の非木製の基礎の基礎立直部に防蟻シート材を固着して木造建築物をシロアリの害から守る防蟻構造及びそれを用いた防蟻方法に関する。
【背景技術】
【０００２】
従来、木造建築物においては、基礎で囲まれた床下部分の地盤から木造建築物に這い上がったシロアリにより、食害を受けることが多い。そこで、これらの被害を低減するため、床下部分に（防蟻剤を含浸させた）防蟻シート材を設置し、シロアリが地盤から木造建築物に這い上がることを防止する技術が多くある。
【０００３】
しかし、それらの全ては新築時の建物に設置、取り付ける方法であり、既築の建物に施工することは不可能である。また、これらは経年変化に伴う薬剤の揮発、樹脂シートの劣化・風化などのために必要な防蟻シートの取り替えが不可能という欠陥がある。
【０００４】
例えば、コンクリート布基礎と土台の間に被覆シートの下面に防蟻用薬剤を含有するシートを固着した防蟻構造の技術（特許文献１参照）、コンクリート基礎と土台フレームと床材と防蟻シートからなり、土台フレームが床材の端部の床根太に取り付けられ、防蟻シートの端部が土台フレームの下面に取り付けられ、コンクリート基礎と土台フレームとの間に挟持され、防蟻シートの中央部は床材の中央部の床根太の下面に取り付けられている建物床部の防蟻構造の技術（特許文献２参照）、基礎の立ち上がり部の上面と床部との間に防蟻シートを設けた防蟻構造の技術（特許文献３参照）等に開示の発明があるが、これらにおいてはいずれも防蟻シートの取り替えができない構成となっている。
【０００５】
さらに、従来の防蟻構造では、木部、基礎に直接薬剤を塗布するか、または、基礎と木部の間に防蟻シート等を挟み込む施工を行うものであるが、これでは建築工程の中で最重要な工程である墨出し作業が不正確になる恐れがある。墨出しは建物全体の強度や気密性を左右する大事な工程であるが、これが不正確になると家全体が歪み、耐力壁の強度が落ち、気密性も損なうことになる。
【０００６】
【特許文献１】特開平８−２１０１６号公報
【特許文献２】特開２０００−８７３６３号公報
【特許文献３】特開２００３−２０１７４５号公報
【発明の開示】
【発明が解決しようとする課題】
【０００７】
シロアリは、土壌から建物のコンクリート製の基礎の壁をつたってはい上がってくる。シロアリは風と光に弱いので通常建物の内壁面を通って木造建築物の木材部に到達して木材を食べる。本発明はその点に着目してなされたものであり、新築時はもちろん、既築ともに施工でき、施工、取り替え等が簡単で、建築に当たっての墨出しを正確に行える、安全で防蟻効果の優れた木造建築物用の防蟻構造及びそれを用いた防蟻方法を提供することを目的とする。
【課題を解決するための手段】
【０００８】
本発明者らは、上記課題を解決するために鋭意研究を行った結果、防蟻機能を有する防蟻シート材の基端側を木造建築物の非木製の基礎の基礎立直部に両面テープ、接着剤等を使用して固着し、固着部にも防蟻性を持たせ、さらに前記防蟻シート材を前記固着部を除いて前記基礎立直部、地盤等から離間させておくことにより上記課題が解決されることを見出し、本発明を完成するに至った。
【０００９】
すなわち、本発明は、木造建築物の木造土台の下方に設けられた非木製の基礎立直部に基礎立直部、地盤等いずれからも離間して固着した防蟻シート材からなる木造建築物を防蟻する防蟻構造である。
【００１０】
本発明における防蟻構造は、木造建築物の木造土台の下方に設けられた非木製の基礎立直部に基礎立直部、地盤等いずれからも離間して固着した防蟻シート材からなる木造建築物を防蟻する防蟻構造であって、前記防蟻シート材の基礎立直部への固着は前記防蟻シート材の先端側が上方に位置するように前記防蟻シート材の基端側でなされ、前記防蟻シート材の先端側は上方から折り返して下方に曲げられていることを特徴とする木造建築物を防蟻する防蟻構造であることが本発明の効果を効果的に発揮する点で好ましい。
【００１１】
この防蟻構造において、防蟻シート材が、少なくとも片面側に防蟻剤を含有したシート材であり、前記防蟻シート材の折り返された内側に少なくとも防蟻剤含有面が位置するように、かつ基礎立直部、地盤等いずれからも離間して基礎立直部に固着されていることを特徴とする防蟻構造であることが好ましい。
【００１２】
前記防蟻シート材は、基礎立直部の横方向全周を覆って固着されていることが好ましい。
【００１３】
本発明におけるこれらの構造によれば、シロアリが地盤から木造建築物の基礎立直部の内側面を経て木造建築物へ這い上がることを防止し、木造建築物を食害から守ることができる。シロアリが木造建築物の基礎立直部の内側面を経て上がってくるとまず固着部に当たるが、固着部は防蟻性を有しているので、シロアリが突破しようと口にすると死ぬ。さらに突破しようとして防蟻シート材上を進むと、防蟻シート材の防蟻機能によりシロアリは弱ったり、死んだりする。さらに進んでいくにつれ、例えば、防蟻シート材があたかも忍び返しのように手前に折り曲がっていると、シロアリの体が逆さまになり、また木部からも段々離れ、木の臭いで進むシロアリは混乱して方向転換して戻ってしまったり、落下したりしてしまう。また、シロアリは横へ横へと蟻道を作って進む習性があるが、防蟻シート材を基礎立直部の横方向全周を覆っていれば、永遠に上には登れない。シロアリはその繰り返しで死んでしまう。例え、シロアリが防蟻シート材内側（裏面）の下の端まで到達しても、上がる力もなく戻ってしまう。
【００１４】
本発明における防蟻シート材は、片面側に防蟻剤が含有され、その防蟻剤含有面の他の防蟻剤の含有されない防蟻剤非含有面の基端側に、基礎立直部に固着する機能を有した、防蟻テープが形成されている防蟻シート材であることができる。
【００１５】
さらに、本発明は、木造建築物の木造土台の下方に設けられた非木製の基礎立直部に、防蟻シート材を基礎立直部、地盤等いずれからも離間して固着して蟻の木造建築物への進入を防止することを特徴とする木造建築物を防蟻する方法である。
【００１６】
前記木造建築物を防蟻する方法において、防蟻シート材の基礎立直部への固着は、前記防蟻シート材の先端側が上方に位置するように前記防蟻シート材の基端側でなされ、前記防蟻シート材の先端側は上方から折り返して下方に曲げられている態様が好ましい。
【００１７】
この態様の場合、前記防蟻シート材は、少なくとも片面側に防蟻剤を含有したシート材であり、前記防蟻シート材を、該防蟻シート材の折り返された内側に少なくとも防蟻剤含有面が位置するように、かつ基礎立直部、地盤等いずれからも離間して基礎立直部に固着することが好ましい。
【００１８】
前記木造建築物を防蟻する方法において、防蟻シート材は、基礎立直部の横方向全周を覆って固着することが好ましい。
【００１９】
本発明において「蟻」とは「シロアリ」のことを指している。また、木造建築物の木造とは、木質系（木材、コルク、合板等）の材料を使用したものであり、木質系材料を使用したものであれば、例えば躯体がスチール構造や軽量鉄骨構造、重量鉄骨構造、コンクリート構造のものであっても木造に含まれる。したがって、木造建築物とは、木質系材料を使用した建築物であり、木質系材料を使用した建築物であれば、例えば躯体がスチール構造や軽量鉄骨構造、重量鉄骨構造、コンクリート構造の建築物も木造建築物に含まれる。
【発明の効果】
【００２０】
本発明によれば、新築時はもちろん、既築の建物でも容易に、特別な技術は要せずに施工、取り替え等ができるので、建物の耐用年数に対応でき、また経年変化への対応だけでなく、水漏れや床下工事等による防蟻シート材破損にも対応できる。また、これらの工事中には居住者はもちろん、近隣の方々に迷惑をかけることのない、安全で防蟻効果の優れた木造建築物用の防蟻構造が得られる。さらに、本発明の防蟻構造を用いれば、建築工程の中で最重要な工程である墨出し作業が、何ら問題なく正確にでき、家全体の歪みのない、耐力壁の強度落ちがない、気密性も損なうことのない建物が得られる。
【発明を実施するための最良の形態】
【００２１】
以下、本発明の実施形態を実施例として示した図１〜図１０によって説明する。ただし、本発明は以下の実施形態に限定されるものではない。
【００２２】
図１は本実施形態における木造建築物防蟻構造の外観図を示すものである。本図においては、地盤１１に木造建築物の床下部分を取り囲むようにしてコンクリート製の基礎２１が設置され、その上に木造建築物の土台３１が設置されている。基礎２１は、地盤１１から立直する基礎立直部２２を備えており、その基礎立直部２２の内側面２３の一定の高さの位置には、防蟻シート材４１の基端側５１が基礎立直部２２の内側面２３に前記防蟻シート材４１の先端側が上方に位置するように固着され、前記防蟻シート材４１の先端側が上方から折り返して下方に曲げられ略逆Ｕ字状に設置されている。前記防蟻シート材４１は前記固着部を除いて前記基礎立直部２２の内側面２３等いずれからも離間されている。また、前記防蟻シート材４１は、前記基礎立直部２２の内側面２３をその横方向に隙間がない状態で覆っている。なお、６０は大引である。なお、図１においては、両側手前及び手前の部分は省略されている。また、防蟻シート材４１の固着状態がよく分かるように両側手前の防蟻シート材４１の一部の固着を省略してあるが、両側手前及び手前の基礎立直部２２の内側面２３の横方向全周に防蟻シート材４１が同様に固着されている。
【００２３】
前記防蟻シート材４１は、例えば図２に示したように、片面側にのみ防蟻剤が含有されており、その防蟻剤含有面４２の他の防蟻剤の含有されない防蟻剤非含有面４３の基端側５１には両面テープとしての機能を有した、防蟻テープ７１が形成されている。該防蟻テープ７１は防蟻シート材４１を基礎立直部２２の内側面２３に固着する機能を有している。なお、防蟻テープとは、防蟻性を有するテープであり、防蟻剤やシロアリ忌避剤を含浸、塗布等により含有させることにより防蟻性が付与される。防蟻テープには図２に示した両面接着性の防蟻テープ７１の他、片面接着防蟻テープ７２がある。
【００２４】
防蟻シート材４１は、図２においては片面側に防蟻剤が含有されたものであるが、本発明においては、防蟻機能を有するシート材であればよい。前記図２を一例とする防蟻剤を含有したシートの他、防蟻シート材４１としては、少なくとも片方の表面を、シロアリの歩行を困難とさせる、例えば起毛加工（毛羽立つように加工）を施して加工した表面加工シート、ナイロン１２等を素材としたシロアリが嫌がるシート等が挙げられる。なお、前記防蟻剤を含有したシートは、少なくとも片面側に防蟻剤を含有していればよく、両面あるいは全てに防蟻剤が含有されてもよい。防蟻剤のシートへの含有に当たっては例えば刷毛等による塗布、吹きつけ、含浸等の任意の方法によればよいが、シートの片面側に防蟻剤を含有した樹脂等のシートを貼付して２層シートにしたものでも構わない。また、前記防蟻剤の含有と表面加工を組み合わせても構わず、例えば、片方の面に防蟻剤を含有させ、他方の面に起毛加工を施したシートでも構わない。このようにすることにより、防蟻効果を相乗的に発揮させることができる。本発明においては、防蟻機能を有するシート材が防蟻シート材４１に含まれる。本発明における防蟻シート材４１は、少なくとも片面側に防蟻剤を含有したシート材を一実施態様とし、その一例として図２に示したような、防蟻シート材４１のシート面の基端側５１に前記防蟻シート材４１を基礎立直部２２に固着する機能を有した防蟻テープ７１を形成したシート材が挙げられる。
【００２５】
防蟻シート材４１の素材としては、例えば、紙、エチレン−酢酸ビニル共重合体、ポリエチレン（低密度ポリエチレン等）、ポリプロピレン、エチレン−αオレフィン共重合体等に代表されるオレフィン系素材、ポリエステル、ポリ塩化ビニル、ＡＢＳ樹脂、ポリスチレン、アクリル樹脂等の合成樹脂、アルミ、ステンレス等の金属等が挙げられる。前記樹脂類は金型製造により製造できる。本発明においては防蟻シート材４１の素材をそのままあるいは不織布として用いることができるが、不織布として用いることが、シートの弾性、防蟻剤塗布の作業性、加工しやすい等の理由で好ましく、優れた機能を発揮する。また、アルミ等の軽金属を使う方法も前記不織布と同様の理由で好ましく用いられる。
【００２６】
前記図１の防蟻シート材４１の基礎立直部２２の内側面２３への固着は、例えば図２に示したような片面側に防蟻剤を含有した防蟻シート材４１を用いた場合、図３に示したように行われる。図３においては、防蟻シート材４１の防蟻剤非含有面４３の基端側５１に設けられた防蟻剤が含浸された防蟻テープ７１によって前記防蟻シート材４１の先端側が上方に位置するように固着され、前記防蟻シート材４１の先端側は上方から折り返して下方に曲げられ垂れ下がって、略逆Ｕ字状にされ、基礎立直部２２の内側面２３及び地盤１１（図示されていない。）等いずれにも触れないように離間して設置されている。そして、前記防蟻シート材４１の折り返された内側（裏面）に防蟻剤含有面４２が位置し、外側（表面）に防蟻剤非含有面４３が位置するようにされている。なお、前記防蟻テープ７１の下部には防蟻剤層８１を形成する防蟻剤が塗布されている。
【００２７】
なお、前記防蟻シート材４１が固着される基礎２１はコンクリート等非木製であり、また前記防蟻シート材４１の基礎立直部２２への固着は、シロアリの一般的な行動から鑑み、前記基礎立直部２２の内側面２３に固着されることが好ましい。また、その固着位置は、特に限定されることはないが、例えば、高さ方向ほぼ中央部等一定の位置に設置される。
【００２８】
また、防蟻テープ７１は防蟻シート材４１に一体化されておらず、独立していて、後から防蟻シート材４１に付けてもよい。
【００２９】
また、図１において、防蟻シート材４１は、各々複数枚設置されているが、前記防蟻シート材４１は必ずしも複数枚設置する必要はなく、例えば真っ直ぐな基礎立直部２２の内側面２３においては一枚にして設置することも可能である。なお、防蟻シート材４１は、基礎立直部２２の内側面２３の横方向全周を覆って固着されることが防蟻効果面で好ましい。
【００３０】
また、前記防蟻シート材４１が、その任意の部分から曲げられる場合、図３においては、防蟻シート材４１の折り返し先端側が自重により垂れ下がっているが、このような自重による自然な折り曲がりの他、人為的に下方に曲げることも可能であり、防蟻シート材４１の素材によってはこの方が好ましい場合もある。また、防蟻シート材４１は、基礎立直部２２に固着される以外には、基礎立直部２２の内側面２３、地盤等いずれからも離間していることが必要である。このようにすることにより、地面から基礎立直部２２の内側面２３を昇ってくるシロアリの進入を防止することができる。さらに、防蟻シート材４１を垂下させる際の形状については、図３においては防蟻シート材４１の先端側が上方から折り返されて下方に曲げられ略逆Ｕ字状にされているが、この形状に限定されることなく、例えば、略Ｍ字状、略逆Ｗ字状、略逆Ｖ字状等でも構わない。本発明においては、防蟻シート材４１の先端部が下方を向いていることが好ましい。また、本発明においては、防蟻シート材４１に紙や合成樹脂を用いる場合は、適当な型に垂下するようその弾性や厚み等、適宜選択する必要がある。
【００３１】
また、図３においては、前記防蟻シート材４１は前記防蟻シート材４１の折り返された内側（裏面）に防蟻剤含有面４２が位置するように基礎立直部２２の内側面２３に固着されており、本発明における好ましい形態である。このように、防蟻シート材４１が片面側のみに防蟻剤を含有している場合には、図３の例のように、前記防蟻シート材４１の固着部分より下部の基礎立直部２２の面からの延長面に防蟻剤含有面４２が位置するように基礎立直部２２に固着されていることが好ましい。その他の固着形態としては、例えば、前記少なくとも片方の表面に起毛加工を施した表面加工シートを防蟻シート材４１に用いるときには、防蟻シート材４１の内側（裏面）に起毛加工面が位置するように固着することができる。また、片方の面に防蟻剤を含有させ、他方の面に起毛加工を施した防蟻シート材４１に用いるときには、いずれの面を内側（裏面）に位置するようにしても構わないが、前記のように、防蟻シート材４１の内側（裏面）に防蟻剤含有面４２が位置するように固着することが好ましい。
【００３２】
また、前記防蟻シート材４１の基礎立直部２２の内側面２３への基端側５１による固着は、その固着手段は限定されるものではなく、前記防蟻シート材４１に設けた両面テープからなる防蟻テープ７１のように両面テープを介して基礎立直部２２の内側面２３に固着する他、防蟻シート材４１に接着剤を塗布しても構わない。さらに、基礎立直部２２の内側面２３に接着剤を塗布したり、基礎立直部２２の内側面２３に両面テープからなる防蟻テープ７１を設けたりして、そこに防蟻シート材４１を固着してもよい。
【００３３】
また、図４に示したような防蟻剤を含有させた片面接着防蟻テープ７２、コールタール系のテープ、ブチルゴム系の両面テープ、アクリル系粘着剤系の片面テープ等で防蟻シート材４１の基端側５１を押さえる方法等も挙げられる。なお、図４においては、シート材の全部に防蟻剤を含有した防蟻シート材４１を、その基端側５１で、基礎立直部２２の内側面２３に片面接着防蟻テープ７２を用いて前記防蟻シート材４１の先端側が上方に位置するように固着し、前記防蟻シート材４１の先端側は上方から折り返されて下方に曲げられ垂れ下がって、略逆Ｕ字状にされ、基礎立直部２２の内側面２３、地盤１１（図示されていない。）等いずれにも触れないように離間して設置されている。前記片面接着防蟻テープ７２による固着は、前記防蟻シート材４１の基端側５１と基礎立直部２２の内側面２３に固着することによって行われている。図４における前記防蟻シート材４１と基礎立直部２２の内側面２３の間は、特に接着等で固定する必要はないが、接着剤や両面テープを介して固定させてもよい。両面テープの場合、必ずしも防蟻性を有していなくても構わない。
【００３４】
また、前記基礎立直部２２と防蟻シート材４１が固着される部分はシロアリの進入を防ぐために、充分に防蟻性を有していることが必要である。例えば、前記防蟻シート材４１、両面接着性の防蟻テープ７１、片面接着防蟻テープ７２等で防蟻性が充分でない場合は、さらに防蟻性を付与することが必要である。その防蟻性を付与するための方法としては、防蟻剤を例えば刷毛等による塗布、吹きつけ、含浸等によって付与する方法が挙げられ、特に限定されない。また、防蟻剤の含有は固着部全体でも、少なくとも表面を含む一部でも構わない。また、固着部の防蟻性の付与は、あらかじめ防蟻性が付与された両面接着性の防蟻テープ７１、片面接着防蟻テープ７２等の部材を用いてもよく、また、防蟻シート材４１を基礎立直部２２の内側面２３に固着した後に、固着部に例えば刷毛等による塗布、吹きつけ、含浸等によって防蟻剤を含有させて防蟻性を付与してもよい。
【００３５】
本発明に用いられる防蟻剤としては、特に限定されるものではなく、例えば、ホウ酸、ホウ砂等のホウ酸塩等のホウ酸系の防蟻剤、ピレスロイド様殺虫剤、ピレスロイド系殺虫剤、有機リン系殺虫剤、木酢液、木酢油、竹酢液、竹酢油、ヒバ精油等に代表される防蟻剤が挙げられる。本発明においては、安全性、耐久性に特に優れたホウ酸及び／又はホウ酸塩等のホウ酸系の防蟻剤を用いることが好ましく、ホウ酸系の防蟻剤としては、例えばホウ素を含んだ鉱石、例えばコレマナイト、硼砂を利用した防蟻剤が用いられる。
【００３６】
本発明に係る防蟻構造は、木造建築物の木造土台の下方に設けられた非木製の基礎立直部に、基礎立直部、地盤等いずれからも離間して固着した防蟻シート材からなる木造建築物を防蟻する防蟻構造であり、前記以外の他の態様としては、例えば図８〜１０に示す構造が挙げられる。図８においては、片面側に防蟻剤を含浸させた防蟻シート材４１は、その防蟻剤非含有面４３の基端側５１が、防蟻剤を含浸させた両面接着性の防蟻テープ７１によって基礎立直部２２の内側面２３に、前記防蟻シート材４１の先端側を上方にして固着されており、前記防蟻シート材４１の先端側は上方から折り返されて下方に曲げられ垂れ下がって、略逆Ｕ字状にされ、基礎立直部２２の内側面２３、地盤１１（図示されていない。）等いずれにも触れないように離間して設置されている。さらに、防蟻剤を含浸させた片面接着防蟻テープ７２を防蟻シート材４１の防蟻剤含有面４２と基礎立直部２２の内側面２３に固着して防蟻シート材４１をカバーしている。
【００３７】
図９においては、シート材の全部に防蟻剤を含浸させた防蟻シート材４１を、その基端側５１で基礎立直部２２の内側面２３に防蟻剤を含浸させた両面接着性の防蟻テープ７１を用いて、前記防蟻シート材４１の先端側が上方に位置するように固着し、前記防蟻シート材４１の先端側は上方から折り返されて下方に曲げられ垂れ下がって、略逆Ｕ字状にされ、基礎立直部２２の内側面２３、地盤１１（図示されていない。）等いずれにも触れないように離間して設置されている。
【００３８】
図１０においては、シート材の全部に防蟻剤を含浸させた防蟻シート材４１を、その基端側５１に設けた防蟻剤を含浸させた両面接着性の防蟻テープ７１によって基礎立直部２２の内側面２３に固着し、前記防蟻シート材４１の先端側が下方に位置するように垂下させ、基礎立直部２２の内側面２３、地盤１１（図示されていない。）等いずれにも触れないように離間させている。
【００３９】
本発明の防蟻構造を施工するに当たっては、特に工程上制限されるものはない。例えば、図５には凸凹のない平らで真っ直ぐな基礎立直部２２の内側面２３に施工する場合を示した。図５（ａ）に示すように、基礎立直部２２の内側面２３の一定高さの位置に横方向に、両面接着性の防蟻テープ７１を設置する。次いで、別に用意された巻き取りされた防蟻シート材４１（図５（ｂ）に示した。）の下部端部（基端側５１）を前記防蟻テープ７１にその先端側が上方に位置するように固着した後、余分の防蟻シート材４１を前記巻き取りされた防蟻シート材４１から切断し、前記固着した防蟻シート材４１を図５（ｃ）に示すように上方から折り返して、下方に曲げられ基礎立直部２２の内側面２３その他に接触しないように自然に垂らす。前記防蟻テープ７１の設置は好ましくは隙間なく行われる。
【００４０】
また、図６には入隅用の防蟻構造の場合を示したが、図６（ａ）に示すような２４０°の角度に折れた入隅用の防蟻シート材４１を用意する。防蟻シート材４１の基端側５１となる端部には両面テープからなる防蟻テープ７１が２ｃｍ幅で設けてある。また、防蟻シート材４１の長さは１５ｃｍのものが用いられている。次いで、前記防蟻シート材４１を、図６（ｂ）に示すように、入隅の一定高さの位置に横方向に、防蟻シート材４１の下部端部（基端側５１）を前記防蟻テープ７１にその先端側が上方に位置するように固着した後、前記固着した防蟻シート材４１を図６（ｃ）に示すように上方から折り返して、下方に曲げられ、入隅及び基礎立直部２２の内側面２３その他に接触しないように自然に垂らす。
【００４１】
また、図７には出隅用の防蟻構造の場合を示したが、図７（ａ）に示すような２４０°の角度に折れた出隅用の防蟻シート材４１を用意する。防蟻シート材４１の基端側５１となる端部には両面テープからなる防蟻テープ７１が２ｃｍ幅で設けてある。また、防蟻シート材４１の長さは１５ｃｍのものが用いられている。次いで、前記防蟻シート材４１を、図７（ｂ）に示すように、出隅の一定高さの位置に横方向に、防蟻シート材４１の下部端部（基端側５１）を前記防蟻テープ７１にその先端側が上方に位置するように固着した後、前記固着した防蟻シート材４１を図７（ｃ）に示すように上方から折り返して、下方に曲げられ、出隅及び基礎立直部２２の内側面２３その他に接触しないように自然に垂らす。
【００４２】
上記施工について、図５で説明したように、本発明に係る防蟻構造を用いることにより、最初に防蟻シート材４１を設置する箇所を決めておけば、後はテープを貼るだけで簡単に施工することができる。
【００４３】
本発明においては、さらに前記防蟻構造を用いて木造建築物を防蟻する方法を提供する。
【００４４】
すなわち、木造建築物の木造土台３１の下方に設けられた非木製の基礎立直部２２に、防蟻シート材４１を基礎立直部、地盤等いずれからも離間して固着して蟻の木造建築物への進入を防止することを特徴とする木造建築物を防蟻する方法を提供する。
【００４５】
特に、前記木造建築物の木造土台３１の下方に設けられた非木製の基礎立直部２２に、防蟻シート材４１を固着して蟻の木造建築物への進入を防止することによって木造建築物を防蟻する方法において、防蟻シート材４１の基礎立直部２２固着は、前記防蟻シート材４１の先端側が上方に位置するように前記防蟻シート材４１の基端側５１でなされ、前記防蟻シート材４１の先端側は上方から折り返して下方に曲げられている態様が好ましい。
【００４６】
この態様の場合、前記防蟻シート材４１は、少なくとも片面側に防蟻剤を含有したシート材であり、前記防蟻シート材４１を、該防蟻シート材４１の折り返された内側に少なくとも防蟻剤含有面４２が位置するように、かつ基礎立直部２２及び地盤１１等いずれにも触れないように離間して基礎立直部２２に固着することが好ましい。
【００４７】
なお、例えば、防蟻シート材４１として片面側のみに防蟻剤を含有したシート材を用いる場合には、図３に示したように前記防蟻シート材４１を、その固着部分より下部の基礎立直部２２の面からの延長面に防蟻剤含有面４２が位置するように基礎立直部２２に固着することが好ましく、また、本態様以外の方法においても同様に、防蟻シート材４１の固着部分より下部の基礎立直部２２の面からの延長面に防蟻性を有する面が位置するように基礎立直部２２に基礎立直部、地盤等いずれからも離間して固着することが好ましい。
【００４８】
前記方法において、防蟻シート材４１は、基礎立直部２２、好ましくは基礎立直部２２の内側面２３の横方向全周を覆って固着することが好ましい。
【００４９】
本発明における前記方法においては、前記本発明防蟻構造について述べた態様が共通して適用され、これにより本発明に係る優れた防蟻効果が発揮される。
【図面の簡単な説明】
【００５０】
【図１】本発明の防蟻構造の実施形態を示した外観図である。
【図２】防蟻構造に使用する防蟻シート材を示した断面図である。
【図３】本発明の防蟻シート材の基礎立直部の内側面への固着状態を示した断面図である。
【図４】本発明の防蟻シート材の基礎立直部の内側面への固着状態を示した他の例の断面図である。
【図５】本発明の防蟻構造の施工例を説明する概略図である。
【図６】本発明の防蟻構造の施工例（入隅施工）を説明する概略図である。
【図７】本発明の防蟻構造の施工例（出隅施工）を説明する概略図である。
【図８】本発明の防蟻シート材の基礎立直部の内側面への固着状態を示した他の例の断面図である。
【図９】本発明の防蟻シート材の基礎立直部の内側面への固着状態を示した他の例の断面図である。
【図１０】本発明の防蟻シート材の基礎立直部の内側面への固着状態を示した他の例の断面図である。
【符号の説明】
【００５１】
１１    地盤
２１    基礎
２２    基礎立直部
２３    基礎立直部の内側面
３１    木造建築物の土台
４１    防蟻シート材
４２    防蟻剤含有面
４３    防蟻剤非含有面
５１    基端側
６０    大引
７１    防蟻テープ
７２    片面接着防蟻テープ
８１    防蟻剤層
【図１】
2005282341.tif 000003
【図２】
2005282341.tif 000004
【図３】
2005282341.tif 000005
【図４】
2005282341.tif 000006
【図５】
2005282341.tif 000007
【図６】
2005282341.tif 000008
【図７】
2005282341.tif 000009
【図８】
2005282341.tif 000010
【図９】
2005282341.tif 000011
【図１０】
2005282341.tif 000012